【手続補正書】
【提出日】平成24年3月16日(2012.3.16)
【手続補正１】
【補正対象書類名】特許請求の範囲
【補正対象項目名】全文
【補正方法】変更
【補正の内容】
【特許請求の範囲】
【請求項１】
家具の一部に設けられた固定部（８）に連結され、ガイド（４）内において後方位置と前方位置との間を第一弾性手段によって往復動可能なスライダー（３）を支持するための支持体（２）を備え、
前記スライダー（３）は、引き出しまたは家具の一部の可動部に連結された取り出し可能部（７）に固定された引き出し要素（６）によって作動される、引き出しまたは家具の一部の可動部に用いられる自己閉鎖装置（１）であって、
前記ガイド（４）は、前記スライダー（３）の前記後方位置に相当する領域に、前記スライダー（３）を移動させるための第一移動手段を有し、
前記第一移動手段は、前記スライダー（３）が前記引き出し要素（６）に設けられた引き出し手段と係合している間、スライダー（３）をガイドするための第一ガイド手段に係合するように適応されており、
前記ガイド（４）の前記第一移動手段において前記第一ガイド手段が前記第一移動手段と係合する前に、前記スライダー（３）に直接的または間接的に対向して当接するストップ要素（９）をさらに備え、
前記第一移動手段および前記スライダー（３）の前記第一ガイド手段は、前記ストップ要素（９）を圧縮するように前記スライダー（３）に力が負荷されたときに、前記スライダー（３）と前記引き出し手段との係合を解除することを特徴とする、自己閉鎖装置（１）。
【請求項２】
前記ストップ要素（９）は、機械的に構成され、前記支持体（２）に設けられた段差（３０）を有し、
前記段差（３０）は、前記スライダー（３）の一方の壁面（３１）と対向して配置されることを特徴とする、請求項１に記載の自己閉鎖装置（１）。
【請求項３】
前記スライダー（３）は、前記壁面（３１）に対して傾斜する傾斜面（３２）を有し、
前記引き出し要素（６）に設けられた前記引き出し手段は、前記傾斜面（３２）に対して配置されることを特徴とする、請求項２に記載の自己閉鎖装置（１）。
【請求項４】
前記ストップ要素（９）は、弾性的に柔軟性を有することを特徴とする、請求項１〜３のいずれかに記載の自己閉鎖装置（１）。
【請求項５】
前記引き出し手段は、第一ピン（２８）および第二ピン（２９）を含み、
前記第一ピン２８および第二ピン（２９）は、互いに離隔し、前記スライダー（３）と代替的に係合するように適応されていることを特徴とする、請求項１〜４のいずれかに記載の自己閉鎖装置（１）。
【請求項６】
前記第一ピン（２８）および第二ピン（２９）は、それぞれ異なる長さを有することを特徴とする、請求項５に記載の自己閉鎖装置（１）。
【請求項７】
前記ガイド（４）は、溝から構成され、
前記第一移動手段は、前記ガイド（４）に設けられた中間側方キャビティー（１０）および後方カーブ（１１）を含むことを特徴とする、請求項１〜６のいずれかに記載の自己閉鎖装置（１）。
【請求項８】
前記ガイド（４）は、延在方向軸に対して前記第一移動手段と同じ側に配置された前方カーブ（１４）をさらに含むことを特徴とする、請求項７に記載の自己閉鎖装置（１）。
【請求項９】
前記第一ガイド手段は、第三ピン１２および第四ピン１３を含み、
前記第三ピン１２および第四ピン１３は、前記ガイド（４）に設けられた前記中間側方キャビティー（１０）および前記後方カーブ（１１）に係合することを特徴とする、請求項１〜８のいずれかに記載の自己閉鎖装置（１）。
【請求項１０】
前記第一弾性手段は、第一バネ（５）を含むことを特徴とする、請求項１〜９のいずれかに記載の自己閉鎖装置（１）。
【請求項１１】
前記弾性的に柔軟性を有するストップ要素（９）は、第二バネ（１６）を有し、
前記第一バネ（５）は、前記ストップ要素（９）と当接している前記スライダー（３）に対して、前記第二バネ（１６）よりも弱い弾性力を負荷することを特徴とする、請求項１０に記載の自己閉鎖装置（１）。
【請求項１２】
少なくとも前記スライダー（３）と、前記引き出し要素（６）、少なくとも第一バネ（５）、前記中間側方キャビティー（１０）、および前記後方カーブ（１１）との間の相互作用によって、前記引き出しを、閉鎖位置の近接領域において、前記第一ピン（２８）と前記第二ピン（２９）との間の距離に実質的に等しい小突出部分だけ自由に摺動させることを特徴とする、請求項１〜１１のいずれかに記載の自己閉鎖装置（１）。
【請求項１３】
前記スライダー（３）は、歯部（１７）を有し、
前記引き出し要素（６）に設けられた前記第一ピン（２８）および第二ピン（２９）が、前記歯部（１７）に代替的に係合することを特徴とする、請求項１〜１２のいずれかに記載の自己閉鎖装置（１）。
【請求項１４】
前記スライダー（３）は、突出部（１８）を有し、当該突出部（１８）によって前記第二ピン（２９）と係合し、
前記突出部（１８）は、カム形状の側面（１９）を含むことを特徴とする、請求項１〜１３のいずれかに記載の自己閉鎖装置（１）。
【請求項１５】
前記引き出しを前記小突出部分に沿って前記第一バネ（５）よりも弱い力によって移動させるのに適したトランスレーション手段をさらに備えることを特徴とする、請求項１０に記載の自己閉鎖装置（１）。
【請求項１６】
前記トランスレーション手段は、前記取り出し可能部（７）に設けられたストップ要素（２１）と相互作用するように適応されたイジェクター（２０）を有することを特徴とする、請求項１５に記載の自己閉鎖装置（１）。
【請求項１７】
前記トランスレーション手段は、少なくとも一つの傾斜ガイドを有し、前記傾斜ガイドに沿って重力によりスライドすることを特徴とする、請求項１５に記載の自己閉鎖装置（１）。
【請求項１８】
前記トランスレーション手段は、反発力を発生させるように適応された磁石を含むことを特徴とする、請求項１５に記載の自己閉鎖装置（１）。
【請求項１９】
請求項１〜１８のいずれかに記載の自己閉鎖装置（１）の動作方法であって、
前記スライダー（３）が、第一のアイドル位置に配置され、前記引き出し要素（６）に設けられた前記第一ピン（２８）を、前記歯部（１７）を介して保持する第一のステップと、
前記スライダー（３）が、前記引き出し要素（６）に設けられた前記第一ピン（２８）に外部から加えられる力によって、第二の位置に後退し、
前記第三ピン（１２）および第四ピン（１３）が、前記ガイド（４）に設けられた前記中間側方キャビティー（１０）および前記後方カーブ（１１）に係合し、
前記第一ピン（２８）を前記歯部（１７）から解放し、前記第二ピン（２９）が前記スライダー（３）に設けられた前記突出部（１８）と係合するまで、前記引き出しを前記小突出部分に沿って自由に摺動させ、
前記突出部（１８）が、前記カム（１９）を介して、前記スライダー（３）を前記ガイド（４）内に再度復帰させる第二のステップと、
前記スライダー（３）が、前記第三ピン（１２）が前記ガイド（４）に設けられた前記前方カーブ（１４）と係合するまで、前記第一バネに逆らって前記ガイド（４）内において引っ張られ、第三の位置にまで移動し、
前記第一ピン（２８）が前記歯部（１７）から解放され、前記引き出しが移動自在となる第三のステップと、
前記引き出し要素（６）に設けられたより短い前記第二ピン（２９）が、前記スライダー（３）を超えて移動する一方、前記第一ピン（２８）が、前記突出部（１８）と係合し、
前記第三ピン（１２）が前記前方カーブ（１４）から解放され、
前記第一ピン（２８）が前記歯部（１７）と係合し、
前記スライダー（３）が、前記第一バネ（５）の作用によって前記第一の位置に復帰して、前記引き出しが閉鎖位置へと移動する第四のステップと、を備えることを特徴とする、自己閉鎖装置（１）の動作方法。